(57)【要約】【課題】  装置本体のコストアップを生じさせず、またユーザの操作性の低下を十分に抑えることができる光ディスク装置を提供する。【解決手段】  光ディスク装置１は、装置本体にセットされている光ディスク１０の物理的特徴情報およびこの物理的特徴情報にかかる物理的特徴を測定した測定日を読み出し、この読み出した測定日がらの経過期間が一定期間を超えていると、反り検出部４において光ディスク１０の反りを検出するとともに、球面収差検出部５で光ディスク１０の球面収差を測定する。そして、光ディスク装置１は、ここで測定した光ディスク１０の反り、および球面収差に基づく物理的特徴情報を光ディスク１０のＲＭＡに記録する。このとき、光ディスク装置１は、ＲＭＡにカレンダ機能により計時されている現在の年月日をこの物理的特徴情報にかかる物理的特徴を測定した測定日としてＲＭＡに記録する。【選択図】  図３
2006040385.tif 000002
【特許請求の範囲】
【請求項１】
本体にセットされている光ディスクに対してデータの記録、および光ディスクに記録されているデータを読み取って再生する記録／再生手段と、
本体に光ディスクがセットされたときに、この光ディスクの所定の記録領域に記録されている、この光ディスクの物理的特徴を示す物理的特徴情報を前記記録／再生手段により読み取る物理的特徴情報読取手段と、
前記物理的特徴情報読取手段が読み取った光ディスクの物理的特徴情報を用いて記録／再生時における前記記録／再生手段の動作を制御する制御手段と、を備えた光ディスク装置において、
所定のタイミングで、本体にセットされている光ディスクの物理的特徴を測定する物理的特徴測定手段と、
前記記録／再生手段により、前記物理的特徴測定手段が測定した物理的特徴情報とともに、この物理的特徴情報にかかる物理的特徴を測定した測定日を、光ディスクのリードインエリアよりも内周側の所定の記録領域に記録する物理的特徴情報記録手段と、を備え、
前記物理的特徴測定手段は、光ディスクの所定の記録領域に記録されている物理的特徴情報にかかる物理的特徴を測定した測定日から一定期間以上経過しているときに、前記所定のタイミングであると判定する手段である光ディスク装置。
【請求項２】
本体にセットされている光ディスクに対してデータの記録、および光ディスクに記録されているデータを読み取って再生する記録／再生手段と、
本体に光ディスクがセットされたときに、この光ディスクの所定の記録領域に記録されている、この光ディスクの物理的特徴を示す物理的特徴情報を前記記録／再生手段により読み取る物理的特徴情報読取手段と、
前記物理的特徴情報読取手段が読み取った光ディスクの物理的特徴情報を用いて記録／再生時における前記記録／再生手段の動作を制御する制御手段と、を備えた光ディスク装置において、
所定のタイミングで、本体にセットされている光ディスクの物理的特徴を測定する物理的特徴測定手段と、
前記記録／再生手段により、前記物理的特徴測定手段が測定した光ディスクの物理的特徴に基づく物理的特徴情報をこの光ディスクの所定の記録領域に記録する物理的特徴情報記録手段と、を備えた光ディスク装置。
【請求項３】
前記物理的特徴情報記録手段は、前記物理的特徴測定手段が測定した物理的特徴情報とともに、この物理的特徴情報にかかる物理的特徴を測定した測定日を光ディスクの所定の記録領域に記録する手段であり、
前記物理的特徴測定手段は、光ディスクの所定の記録領域に記録されている物理的特徴情報にかかる物理的特徴を測定した測定日から一定期間以上経過しているときに、前記所定のタイミングであると判定する手段である請求項２に記載の光ディスク装置。
【請求項４】
物理的特徴情報記録手段は、光ディスクのリードインエリアよりも内周側の所定の記録領域に前記物理的特徴測定手段が測定した、この光ディスクの物理的特徴に基づく物理的特徴情報を記録する請求項２または３に記載の光ディスク装置。
【発明の詳細な説明】
【技術分野】
【０００１】
この発明は、ＣＤやＤＶＤ等の光ディスクに対して、データの記録や記録されているデータの再生を行う光ディスク装置に関する。
【背景技術】
【０００２】
従来、ＣＤやＤＶＤ等の光ディスクに対して、データの記録や記録されているデータの再生を行う光ディスク装置が一般に普及している。また、光ディスクの透過層厚、屈折率、反り等の物理的特徴により、記録／再生時の動作が不安定になるのを抑えるために、光ディスクの物理的特徴を用いて記録／再生時の動作を制御することが行われている。特に、最近では、光ディスクの高密度化のために、より波長の短いレーザや、よりＮＡの高いレンズを用いて、光ディスクに照射するレーザ光のスポット径を小さくすることが要求されている。レーザ光のスポット径を小さくすると、透過層の厚みムラにより発生する球面収差や、ディスクの反りにより発生するコマ収差の影響が大きくなる。そこで、特許文献１、２に示されているように、光ディスク毎にレーザの記録パワーや、光ディスクの反り、面振れ、偏心等の物理的特徴を、装置本体のメモリに記憶し、記録／再生時にこれらの情報を用いて記録／再生にかかる処理を制御することが提案されている。また、特許文献３、４に示されているように、光ディスクの透過層厚、屈折率、反り等の物理的特徴を光ディスクの製造時や出荷時に記録しておき、光ディスク装置における記録／再生時にこれらの情報を用いて記録／再生にかかる処理を制御することが提案されている。
【０００３】
なお、光ディスクが本体にセットされたときや、光ディスクに対する記録／再生時に、この光ディスクの物理的特徴を測定し、ここで測定した物理的特徴を用いて、記録／再生にかかる処理を制御することも可能である。しかし、この場合には、光ディスクの物理的特徴を光ディスクが本体にセットされたときや、光ディスクに対する記録／再生時に測定することから、この物理的特徴の測定に要する時間だけ光ディスクに対する処理（光ディスクに対するデータの記録処理や再生処理）が遅れ、ユーザの操作性を低下させてしまう。言い換えれば、特許文献１〜４は、本体にセットされた光ディスクに対する記録／再生等の処理が開始されるまでの時間を抑え、ユーザの操作性の低下を防止することを提案している。
【特許文献１】特開２００２−  ４２３３９号公報
【特許文献２】特開２００２ー３１９１４２号公報
【特許文献３】特開２０００−  ３１５２３号公報
【特許文献２】特開２００３ー２５７０４５号公報
【発明の開示】
【発明が解決しようとする課題】
【０００４】
しかしながら、特許文献１、２で提案されている技術は、光ディスク毎に物理的特徴を記憶するメモリを光ディスク装置本体に設けなければならず、光ディスク装置本体のコストアップという問題があるとともに、メモリの記憶容量に制限があることから、光ディスクの物理的特徴情報を新規に登録するときにメモリがいっぱいであれば、どの光ディスクについて物理的特徴情報をメモリから削除するかを決定する処理等も行わせなければならず、この点でも光ディスク装置本体のコストアップという問題があった。また、光ディスクの記録／再生を他の光ディスク装置（この光ディスクの物理的特徴情報を記憶していない装置）で行うときには、この光ディスクの物理的特徴を測定しなければ得られないので、上述したように光ディスクに対する記録／再生等の処理が遅れることになる。したがって、ユーザの操作性の低下が十分に抑えられていなかった。
【０００５】
また、特許文献３、４で提案されている技術は、光ディスクの透過層厚、屈折率、反り等の物理的特徴を光ディスクの製造時や出荷時に光ディスクに記録するだけであるので、光ディスクに記録されている物理的特徴を用いて記録／再生にかかる処理を制御すると、光ディスクの経時変化によって、記録／再生にかかる処理が不安定になるという問題があった。また、光ディスクに記録されている物理的特徴を用いて記録／再生にかかる処理を制御した場合に、この記録／再生にかかる処理が安定しなければ、光ディスクに対して物理的特徴の測定を行わなければならず、その結果上述したように、光ディスクに対する記録／再生等の処理が遅れることになる。したがって、ユーザの操作性の低下が十分に抑えられていなかった。
【０００６】
この発明の目的は、装置本体のコストアップを生じさせず、またユーザの操作性の低下を十分に抑えることができる光ディスク装置を提供することにある。
【課題を解決するための手段】
【０００７】
この発明の光ディスク装置は、上記課題を解決するために以下の構成を備えている。
【０００８】
（１）本体にセットされている光ディスクに対してデータの記録、および光ディスクに記録されているデータを読み取って再生する記録／再生手段と、
本体に光ディスクがセットされたときに、この光ディスクの所定の記録領域に記録されている、この光ディスクの物理的特徴を示す物理的特徴情報を前記記録／再生手段により読み取る物理的特徴情報読取手段と、
前記物理的特徴情報読取手段が読み取った光ディスクの物理的特徴情報を用いて記録／再生時における前記記録／再生手段の動作を制御する制御手段と、を備えた光ディスク装置において、
所定のタイミングで、本体にセットされている光ディスクの物理的特徴を測定する物理的特徴測定手段と、
前記記録／再生手段により、前記物理的特徴測定手段が測定した光ディスクの物理的特徴に基づく物理的特徴情報をこの光ディスクの所定の記録領域に記録する物理的特徴情報記録手段と、を備えている。
【０００９】
この構成では、物理的特徴測定手段が所定のタイミングで本体にセットされている光ディスクの物理的特徴を測定する。この物理的特徴測定手段が測定した光ディスクの物理的特徴に基づく物理的特徴情報を、物理的特徴情報記録手段がこの光ディスクの所定の記録領域に記録する。このように、光ディスクの物理的特徴を、その光ディスクに記録し、また光ディスクに記録している物理的特徴情報を所定のタイミングで更新するので、光ディスクが記録する物理的特徴情報を、この光ディスクの経時変化に対して適正に更新することができる。したがって、光ディスクに記録されている物理的特徴情報を用いて記録／再生時にかかる処理を行うことで、この処理が光ディスクの計時変化等によって不安定になることがなく、ユーザの操作性の低下を十分に抑えることができる。また、光ディスク毎に物理的特徴を記憶するためのメモリを光ディスク装置本体に設ける必要がないので、装置本体のコストアップも抑えられる。
【００１０】
（２）前記物理的特徴情報記録手段は、前記物理的特徴測定手段が測定した物理的特徴情報とともに、この物理的特徴情報にかかる物理的特徴を測定した測定日を光ディスクの所定の記録領域に記録する手段であり、
前記物理的特徴測定手段は、光ディスクの所定の記録領域に記録されている物理的特徴情報にかかる物理的特徴を測定した測定日から一定期間以上経過しているときに、前記所定のタイミングであると判定する手段である。
【００１１】
この構成では、物理的特徴情報を光ディスクに記録するときに、物理的特徴情報とともに、この物理的特徴情報にかかる物理的特徴を測定した測定日を記録し、測定日から一定期間経過すると、光ディスクに記録されている物理的特徴情報を更新する。光ディスクの経時変化の度合いは、光ディスクの保管状態によってことなるが、記録／再生にかかる処理が光ディスクの経時変化によって不安定になるのを防止するには、前記一定期間を数週間（３〜５週間）程度に設定すればよい。したがって、光ディスクに記録されている物理的特徴情報を用いて記録／再生時にかかる処理を行うことで、この処理が光ディスクの計時変化等によって不安定になることがなく、ユーザの操作性の低下を十分に抑えることができる。
【００１２】
（３）物理的特徴情報記録手段は、光ディスクのリードインエリアよりも内周側の記録領域に前記物理的特徴測定手段が測定した、この光ディスクの物理的特徴に基づく物理的特徴情報を記録する。
【００１３】
この構成では、リードインエリア（Ｌｅａｄ−ｉｎ  ａｒｅａ）よりも内周側の記録領域、例えばＰＣＡやＲＭＡ、に特徴量情報を記録する構成としたので、物理的特徴情報を光ディスクに記録することで、この光ディスクにおける映像や音声の記録容量が減少することもない。
【発明の効果】
【００１４】
この発明によれば、光ディスクに記録されている物理的特徴情報を用いて記録／再生時にかかる処理を行うことで、この処理が光ディスクの計時変化等によって不安定になることがなく、ユーザの操作性の低下を十分に抑えることができる。また、光ディスク毎に物理的特徴を記憶するためのメモリを光ディスク装置本体に設ける必要がないので、装置本体のコストアップも抑えられる。
【発明を実施するための最良の形態】
【００１５】
以下、この発明の実施形態である光ディスク装置について説明する。
【００１６】
図１は、この発明の実施形態である光ディスク装置の主要部の構成を示す図である。この実施形態の光ディスク装置１は、本体の動作を制御する制御部２と、本体にセットされている光ディスクに対してデータの記録、および光ディスクに記録されているデータを読み取って再生する記録／再生部３と、本体にセットされている光ディスクの反りを検出する反り検出部４と、本体にセットされている光ディスクの球面収差を検出する球面収差検出部５と、記録／再生部３において光ディスクに記録するデータの入力の受け付け、および記録／再生部３における光ディスクに記録されているデータの再生信号の出力を行う入出力部６と、装置本体に対する入力操作を受け付ける操作部７と、を備えている。
【００１７】
制御部２は、現在の日時を計時するカレンダ機能を有している。記録／再生部３には、本体にセットされている光ディスクにレーザ光を照射するピックアップヘッド、光ディスクに照射したレーザ光を光ディスクの記録面に集光するフォーカスサーボ制御を行うフォーカスサーボ機構、光ディスクに照射したレーザ光を光ディスクのトラックの中心に集光するトラッキングサーボ制御を行うトラッキングサーボ機構、光ディスクに照射するレーザ光のパワーを制御するパワー制御機構、光ディスクに記録するデータの圧縮や光ディスクから読み取ったデータの伸長処理等を行うディジタル処理機構等が設けられている。フォーカスサーボ制御は周知のようにピックアップヘッドから出力されるフォーカスエラー信号（ＦＥ信号）に基づいて、ピックアップヘッドに設けられている対物レンズを光ディスクに対して接離する方向に移動する制御である。また、トラッキングサーボ制御、周知のようにピックアップヘッドから出力されるトラッキングエラー信号（ＴＥ信号）に基づいて、ピックアップヘッドに設けられている対物レンズ、およびピックアップヘッド本体を光ディスクの半径方向に移動する制御である。また、光ディスクに照射するレーザ光のパワー制御は、記録時においては光ディスクに照射するレーザ光をＯＰＣで得た最適記録パワーに制御し、再生時においてはピックアップヘッドから出力されるＲＦ信号の振幅が最大になるパワーに制御する。これらフォーカスサーボ制御、トラッキングサーボ制御、パワー制御については公知であるので、ここでは詳細な説明を省略する。
【００１８】
反り検出部４は、光ディスクの反りを検出するチルトセンサを有している。また、記録／再生部３には、光ディスクに対して垂直にレーザ光を照射するために、ピックアップヘッドを傾けるチルト補正機構部が設けられている。球面収差検出部５には、光ディスクの球面収差を検出する球面収差検出機構が設けられている。この球面収差検出機構は、例えば特許文献４に記載されている、光ディスクからの反射光がピックアップヘッドに設けられているフォトダイオードの手前で、回析格子により反射光の光束の内側と外側とを別々の光検出器に集光させて球面収差信号を得る構成である。また、記録／再生部３には球面収差を補正する波面変換素子が設けられている。この波面変換素子は、例えば２枚の硝子基板にはさまれた部分に液晶を封入したものである。また。記録／再生部３は、ＬＤから出射されたレーザ光が通過する部分を複数の領域に分け、各々の領域に独立に電圧を印加して、各々の領域の屈折率を変化させることにより、ＬＤから出射されたレーザ光の波面の位相を変化させて収差補正を行う収差補正機構部を有している。
【００１９】
入出力部６には、図示していないテレビ放送を受信するアンテナ等を接続するアナログ入力端子、外部機器からディジタル信号を入力するディジタル入力端子、テレビ受像機を接続するアナログ出力端子、外部機器へディジタル信号を出力するディジタル出力端子等が設けられている。操作部７には、本体に対して入力操作を行う入力キーや、図示していないリモコン装置から送信されてきた、本体に対する制御信号を受信するリモコン受信部が設けられている。
【００２０】
図２は、光ディスクの記録領域を示す図である。ここでは、光ディスク１０としてＤＶＤ−Ｒ、ＲＷを例にしている。光ディスク１０には、内周側から、Ｐｏｗｅｒ  Ｃａｌｉｂｒａｔｉｏｎ  Ａｒｅａ（ＰＣＡ）、Ｒｅｃｏｒｄｉｎｇ  Ｍａｎａｇｅｍｅｎｔ  Ａｒｅａ（ＲＭＡ）、Ｌｅａｄ−ｉｎ  ａｒｅａ、Ｄａｔａ  ａｒｅａ、Ｌｅａｄ−ｏｕｔ  ａｒｅａが形成されている。ＰＣＡは、データの記録時に最適記録パワーを得るための試し書き、所謂ＯＰＣ、を行うエリアである。ＲＭＡは、再生時に装置側で必要な記録管理情報にかかるデータを記録するエリアである。Ｄａｔａ  ａｒｅａは映像や音声にかかるデータを記録するエリアであり、Ｌｅａｄ−ｉｎ  ａｒｅａはフォーマット形式、データの記録形式等のコントロールデータを記録するエリアである。Ｌｅａｄ−ｏｕｔ  ａｒｅａは、Ｄａｔａ  ａｒｅａの終わりを示すデータを記録するエリアである。
【００２１】
この実施形態の光ディスク装置１は、本体にセットされている光ディスク１０の物理的特徴、具体的には反りおよび球面収差、を所定のタイミングで測定し、ここで測定した物理的特徴に基づく物理的特徴情報、およびこの物理的特徴情報にかかる物理的特徴を測定した測定日を光ディスク１０のＲＭＡに記録する。
【００２２】
以下、この実施形態の光ディスク装置１の動作について説明する。図３は、この実施形態の光ディスク装置の動作を示すフローチャートである。光ディスク装置１は、装置本体の電源が投入されると、この処理を開始する。光ディスク装置１は、装置本体に光ディスク１０がセットされているかどうかを判定する（ｓ１）。光ディスク装置１は、装置本体に光ディスク１０がセットされていなければ、ｓ１で光ディスク１０がセットされるのを待つ。光ディスク装置１は、電源投入時に光ディスク１０がセットされていた場合、または本体に光ディスク１０がセットされた場合、セットされている光ディスク１０のＲＭＡに記録されている、この光ディスク１０の物理的特徴情報およびこの物理的特徴情報にかかる物理的特徴を測定した測定日を読み出す（ｓ２）。
【００２３】
光ディスク装置１は、物理的特徴情報がＲＭＡに記録されておらず（ｓ３）、ｓ２で装置本体にセットされている光ディスク１０から物理的特徴情報を読み出せなかった場合、以下に示すｓ５以降の処理を実行する。また、物理的特徴情報がＲＭＡに記録されており、ｓ２で装置本体にセットされている光ディスク１０から物理的特徴情報を読み出している場合、この読み出した物理的特徴情報にかかる物理的特徴を測定した測定日からの経過期間が一定期間を超えているかどうかを判定する（ｓ４）。上述したように、制御部２はカレンダ機能を有しているので、カレンダ機能が計時している現在の年月日とｓ２で読み出した物理的特徴情報にかかる物理的特徴を測定した測定日とを比較することで、ｓ２で読み出した物理的特徴情報にかかる物理的特徴を測定した測定日からの経過期間を算出することができる。また、光ディスク１０の経時変化の度合いは、光ディスク１０の保管状態によってことなるが、記録／再生にかかる処理が光ディスク１０の経時変化によって不安定になるのを防止する面から、前記一定期間については数週間（３〜５週間）程度の期間にすればよい。光ディスク装置１は、ｓ３で読み出した物理的特徴情報にかかる物理的特徴を測定した測定日からの経過期間が一定期間を超えていると判定すると、以下に示すｓ５以降の処理を行い、この測定日からの経過期間が一定期間を超えていないと判定すると、ｓ７以降の処理を行う。
【００２４】
光ディスク装置１は、反り検出部４において光ディスク１０の反りを検出するとともに、球面収差検出部５で光ディスク１０の球面収差を測定する（ｓ５）。光ディスク装置１は、ｓ５で検出した光ディスク１０の反り、および球面収差を、この光ディスクの物理的特徴とし、この物理的特徴に基づく物理的特徴情報を生成し、これを光ディスク１０のＲＭＡに記録する（ｓ６）。このとき、光ディスク装置１は、ＲＭＡにカレンダ機能が計時している現在の年月日をこの物理的特徴情報にかかる物理的特徴を測定した測定日としてＲＭＡに記録する。
【００２５】
光ディスク装置１は、ｓ４で物理的特徴情報の測定日がらの経過期間が一定期間を超えていないと判定した場合、またはｓ６で今回測定した物理的特徴に基づく物理的特徴情報を光ディスク１０のＲＭＡに記録すると、操作部７において本体に対する入力を待つ（ｓ７）。光ディスク装置１は、装置本体に対する電源オフにかかる入力があると（ｓ８）、本処理を終了する。また、装置本体にセットされている光ディスク１０に対してデータを記録する記録処理実行にかかる入力があると、記録処理を行う（ｓ９、ｓ１０）。装置本体にセットされている光ディスク１０に記録されているデータを再生する再生処理実行にかかる入力があると、再生処理を行う（ｓ１１、ｓ１２）。また、装置本体にセットされている光ディスク１０の取り出しにかかる入力があると、本体にセットされている光ディスク１０を放出する（ｓ１３、１４）。
【００２６】
なお、光ディスク装置１は、上記以外の入力があると、この入力に応じた処理を実行する（その他の処理を実行する。）（ｓ１５）。
【００２７】
光ディスク装置１は、ｓ１０にかかる記録処理、およびｓ１２にかかる再生処理においては、ｓ２で読み度した光ディスク１０の物理的特徴情報、またはｓ６で光ディスク１０のＲＭＡに記録した物理的特徴情報を用いて、実行している処理を制御する。また、ｓ１５にかかる処理でも必要に応じて、ｓ２で読み度した光ディスク１０の物理的特徴情報、またはｓ６で光ディスク１０のＲＭＡに記録した物理的特徴情報を用いて、実行している処理を制御する。
【００２８】
光ディスク装置１は、ｓ１０にかかる記録処理、ｓ１２にかかる再生処理、ｓ１５にかかるその他の処理を完了すると、ｓ７に戻って装置本体に対する入力を待つ。また、ｓ１４にかかる放出処理を完了すると、ｓ１に戻って装置本体に光ディスク１０がセットされるのを待って、上記処理を繰り返す。
【００２９】
このように、この実施形態の光ディスク装置１は、光ディスク１０の物理的特徴情報を、その光ディスク１０に記録し、また光ディスク１０に記録している物理的特徴情報については、この物理的特徴情報にかかる物理的特徴を測定した測定日から一定期間超えると、再度光ディスク１０の物理的特徴を測定し、この測定した物理的特徴に基づく物理的特徴情報を光ディスク１０に記録する。したがって、光ディスク１０が記録する物理的特徴情報を、この光ディスク１０の経時変化に対して適正に更新することができ、光ディスク１０に対する記録／再生にかかる処理の動作が不安定になることがなく、ユーザの操作性の低下を十分に抑えることができる。また、光ディスク１０毎に物理的特徴を記憶するためのメモリを装置本体に設ける必要がないので、装置本体のコストアップも抑えられる。
さらに、物理的特徴情報を光ディスク１０のＬｅａｄ−ｉｎ  ａｒｅａよりも内周側の記録領域であるＲＭＡに記録するので、物理的特徴情報を光ディスク１０に記録することで、この光ディスク１０における映像や音声の記録容量を減少させることもない。
【００３０】
なお、上記実施形態では、物理的特徴情報を光ディスク１０のＲＭＡに記録するとしたが、ＰＣＡに記録してもよい。また、光ディスク１０の反り、および球面収差を物理的特徴として測定し、測定した物理的特徴に基づく物理的特徴情報を記録するとしたが、光ディスク１０の偏心、面振れ等も物理的特徴として測定し、これらも含めた物理的特徴情報を光ディスク１０に記録するようにしてもよい。
【図面の簡単な説明】
【００３１】
【図１】この発明の実施形態である光ディスク装置の主要部の構成を示す図である
【図２】光ディスクの記録領域を示す図である。
【図３】この発明の実施形態である光ディスク装置の動作を示すフローチャートである。
【符号の説明】
【００３２】
１−光ディスク装置
２−制御部
３−記録／再生部
４−反り検出部
５−球面収差検出部
【図１】
2006040385.tif 000003
【図２】
2006040385.tif 000004
【図３】
2006040385.tif 000005